(57)【要約】【課題】空気清浄機能を有する陰イオン発生器において、密閉した空間でタバコの煙及びにおい、細菌、微細ほこり等を取り除いて快適で新鮮な無菌の空気を提供することにある。【解決手段】電源を受けて、高圧発生部で高電圧を発生させ、放電電極を通じて陰イオンを発生する陰イオン発生器において、吸入口及び吐出口を含む本体に内蔵され、内部に空気を流入させる送風機と、送風機の一側に備えられ、電源の印加によって高電圧を発生する高圧発生部を備えたメーン基板と、高圧発生部側に連結され、高電圧の発生によって陰イオンを発生する炭素纎維を含む炭素纎維ケーブルと、高圧発生部からの電圧の印加によって静電気を発生させる放電ピン及び集塵板を含む集塵部とを含み、集塵部によって空気中の微細ほこりを浄化し、炭素纎維ケーブルから生成される陰イオンを浄化空気中に含有させて室内に供給する空気清浄器を含んでいる。【選択図】図１
2008155174.tif 000002
【特許請求の範囲】
【請求項１】
電源を受けて、高圧発生部で高電圧を発生させ、放電電極を通じて陰イオンを発生する空気清浄機能を有する陰イオン発生器において、吸入口及び吐出口を含む本体に内蔵され、内部に空気を流入させる送風機と、この送風機の一側に備えられ、前記電源の印加によって高電圧を発生する前記高圧発生部を備えたメーン基板と、前記高圧発生部側に連結され、高電圧の発生によって陰イオンを発生する炭素纎維を含む炭素纎維ケーブルと、前記高圧発生部からの電圧の印加によって静電気を発生させる放電ピン及び集塵板を含む集塵部とを含み、この集塵部によって空気中の微細ほこりを浄化し、前記炭素纎維ケーブルから生成される陰イオンを浄化空気中に含有させて室内に供給する空気清浄器を含んでなることを特徴とする空気清浄機能を有する陰イオン発生器。
【請求項２】
前記空気清浄器は、前記メーン基板の高圧発生部から発生する高電圧を受けて陰イオン発生量を増大させる前記炭素纎維ケーブルと、前記集塵板及び前記放電ピンを備えた前記集塵部とを備えて陰イオンを活性化させることを特徴とする請求項１に記載の空気清浄機能を有する陰イオン発生器。
【請求項３】
前記空気清浄器のメーン基板に備えられた前記高圧発生部から印加される高電圧が前記集塵部に印加されて静電気を発生して、微細ほこり、においの微粒子を分解し、分解された空気は前記炭素纎維ケーブルから発生する多量の陰イオンを含有させて浄化させ、浄化された空気は室内に供給されることを特徴とする請求項１又は請求項２に記載の空気清浄機能を有する陰イオン発生器。
【請求項４】
前記空気清浄器の高電圧を発生する前記メーン基板の前記高圧発生部から高圧が伝達される前記集塵部と前記炭素纎維ケーブルとを二元化することで、前記炭素纎維ケーブルによって発生する陰イオンの発生量を増加させることを特徴とする請求項１に記載の空気清浄機能を有する陰イオン発生器。
【発明の詳細な説明】
【技術分野】
【０００１】
この発明は、空気清浄機能を有する陰イオン発生器に係り、より詳しくは家庭及びホテル、インターネットカフェ、カラオケ、事務室、学校、病院、食堂等のような密閉した空間でタバコの煙及びにおい、細菌、微細ほこり等を取り除いて快適で新鮮な無菌の空気を提供する空気清浄機能を有する陰イオン発生器に関するものである。
【背景技術】
【０００２】
一般に、空気清浄器は、内部に備えられたフィルタによって室内の空気を浄化する装置である。
最近では、空気浄化器のうち、本来の空気浄化の機能のみならず、陰イオンまで発生する機能を付け加えた空気浄化器が登場した。
陰イオン（Ａｎｉｏｎ）とは、目に見えない無色、無臭の陰（−）電荷を帯びた微粒子で、金属の放電ピンと放電ピン間に高電圧を印加することにより、放電ピンと放電ピン間で発生するスパークを利用して電気分解方式で発生させるか、あるいは、水を微細に分解させる時に発生させるものである。陰イオンは細胞の新進代謝を促進して活力を増大させ、血を清くする一方、空気中に存在する汚染物質を取り除いて、きれいで新鮮な空気を維持させるのに使用されるものである。
このような陰イオンの効果を利用するために、各種の電子電気製品、生活用品等に付着して使用するか、スタンド式空気浄化器として使用することもある。陰イオン発生物質であるトールマリーン、貴陽石等を纎維に含浸させるか、壁紙等にコートして使用することもある。
【０００３】
従来、陰イオン発生の従来技術としては、特許文献１の陰イオン空気浄化器がある。これは、多数の金属放電極ピンを金属板に固定し、高電圧を印加して空気を電離させることで、陰イオンを発生させている。
【特許文献１】大韓民国公開特許第１９９０−００１２３号明細書
【発明の開示】
【発明が解決しようとする課題】
【０００４】
ところで、従来、上記の特許文献１の陰イオン空気浄化器においては、陰イオンの発生時、オゾンと窒素酸化物が付随して発生するという不都合がある。そして、このようなオゾンの発生は、その許容基準値に対して有害是非が絶えずに提起されてきたし、現今にも、論難の対象になっている。
【０００５】
そこで、この発明の目的は、家庭及びホテル、インターネットカフェ、カラオケ、事務室、学校、病院、食堂等のような密閉した空間でタバコの煙及びにおい、細菌、微細ほこり等を取り除いて快適で新鮮な無菌の空気を提供するためのものであり、空気清浄器の高圧発生のための高圧発生部と連結された放電ピンに炭素繊維ケーブルを位置させ、集塵部とは二元化させて陰イオンを発生させることで、汚染した空気のほこり又は不純物の除去は勿論のこと、汚染物質と有害な細菌までも殺菌処理し、陰イオンを含んだ清い空気を室内へ循環供給させて、快適な室内環境を造成する効果があり、非常に有用な発明としての空気清浄機能を有する陰イオン発生器を提供することにある。
【課題を解決するための手段】
【０００６】
この発明は、電源を受けて、高圧発生部で高電圧を発生させ、放電電極を通じて陰イオンを発生する空気清浄機能を有する陰イオン発生器において、吸入口及び吐出口を含む本体に内蔵され、内部に空気を流入させる送風機と、この送風機の一側に備えられ、前記電源の印加によって高電圧を発生する前記高圧発生部を備えたメーン基板と、前記高圧発生部側に連結され、高電圧の発生によって陰イオンを発生する炭素纎維を含む炭素纎維ケーブルと、前記高圧発生部からの電圧の印加によって静電気を発生させる放電ピン及び集塵板を含む集塵部とを含み、この集塵部によって空気中の微細ほこりを浄化し、前記炭素纎維ケーブルから生成される陰イオンを浄化空気中に含有させて室内に供給する空気清浄器を含んでなることを特徴とする。
【発明の効果】
【０００７】
この発明は、空気清浄器の高圧発生のための高圧発生部と連結された放電ピンに炭素繊維ケーブルを位置させ、集塵部とは二元化させて陰イオンを発生させることで、汚染した空気のほこり又は不純物の除去は勿論のこと、汚染物質と有害な細菌までも殺菌処理し、陰イオンを含んだ清い空気を室内へ循環供給させて、快適な室内環境を造成する効果がある。
【発明を実施するための最良の形態】
【０００８】
この発明は、快適な室内環境を造成する目的を、空気清浄器の高圧発生のための高圧発生部と連結された放電ピンに炭素繊維ケーブルを位置させ、集塵部とは二元化させて陰イオンを発生させたり、陰イオンを含んだ清い空気を室内へ循環供給させて実現するものである。
以下、図面に基づいて本発明の実施例を詳細且つ具体的に説明する。
【実施例】
【０００９】
図１〜図３は、この発明の実施例を示すものである。図１は、この発明による空気清浄器の分解斜視図である。図２は、空気清浄器の内部に位置する炭素纎維ケーブルを示す斜視図である。
図１、図２に示すように、空気清浄器１００は、外部電源によって動作する。空気清浄器１００の本体１１８の前面ケース１０２に内蔵される制御部１０６は、電源スイッチ、陰イオン強度調整スイッチ、タイムリセットスイッチを通じた使用者の選択によって全体的な動作を制御する。
すなわち、本体１１８は、前面ケース１０２と後面ケース１０４が一体的に構成される。前面ケース１０２には、制御部１０６と陰イオンを放出する吐出口１１６とが位置している。後面ケース１０４には、空気が流入する空気吸入口１１４と壁面装着部１０８とが位置する。
【００１０】
前面ケース１０２と後面ケース１０４とが組み立てられてなる本体１１８の内部には、送風機１１２が備えられている。これにより、後面ケース１０４の吸入口１１４を通じて、空気を内部へ流入させることができる。
本体１１８の送風機１１２の一側には、電源の印加によって高電圧及び静電圧を発生する高圧発生部１３４が備えられたメーン基板１３０が位置する。
このような本体１１８のメーン基板１３０は、ＡＣ１００Ｖ／２２０Ｖを受けて１２Ｖの静電圧を供給する装置であるＳＭＰＳ部１３６と、ＡＣ１００Ｖ／２２０Ｖを受けて−５，５００Ｖの高圧を発生させる高圧発生部１３４とを備えている。制御部１０６は、ＳＭＰＳ部１３６から１２Ｖ電源を受けて電源及び全ての動作を制御する。
メーン基板１３０の一側には、高圧発生部１３４が構成されている。この高圧発生部１３４は、ＡＣ１００Ｖ／２２０Ｖを受け、昇圧回路によって高電圧を印加する。
高電圧を印加する高圧発生部１３４の一側には、炭素纎維を備えた炭素纎維ケーブル１４０が連結される。これにより、高圧発生部１３４から発生する高電圧によって陰イオンが発生する。
すなわち、高圧発生部１３４から発生する−５，５００Ｖの高電圧が炭素纎維ケーブル１４０に印加されることにより、陰イオンが多量で発生するものである。
【００１１】
また、高圧発生部１３４の一側から引き出される二つの電圧連結線１３２は、放電ピン１５０と集塵板１２２とに連結されている。放電ピン１５０と集塵板１２２との間で発生する静電気により、微細ほこりを引き寄せることになる。
すなわち、本体１１８の内部に流入した空気が放電ピン１５０と集塵板１２２とからなった集塵部１２０を通過することにより、空気中の粉塵が捕集される。
集塵板１２２は、メーン基板１３０のトランスと電圧連結線１３２に連結されてトランスのグラウンドを形成するもので、メーン基板１３０に備えられた高圧発生部１３４の高電圧による放電ピン１５０と集塵板１２２間の電位差によって発生する静電気によって、流入した微細ほこり、細菌等を集塵する。
ここで、集塵板１２２は着脱が容易になっているから、長期間の使用時、集塵板１２２に付着されたほこりやニコチンを掃除することができる。
このような集塵部１２０は、集塵板１２２と放電ピン１５０に電流が流れて発生する静電気によって空気中の微細ほこり、におい等を捕集するものである。放電現象によって、集塵部１２０の内部へ汚染空気が移動しながら、イオン化したほこりを流動させることになる。
集塵部１２０の集塵板１２２に汚染した空気が触れる瞬間、イオン電流の強さによって、汚染した空気がイオン化して集塵板１２２でぶつかると同時に、これにより、さらに速くイオン化することになる。
このように、集塵部１２０でイオン化した空気は内部で流動することになり、高圧発生部１３４から発生した高電圧が炭素纎維ケーブル１４０に印加されて、多量の陰イオンを空気中に含有させる。
【００１２】
陰イオン発生する炭素纎維ケーブル１４０は、高電圧を伝達する高圧発生部１３４に連結されるものであり、被覆導線に炭素纎維を備えている。
炭素纎維ケーブル１４０は、電源の印加時、電子を放出する。この電子は、空気中で酸素と反応して陰イオンを生成する。
このように、集塵部１２０と電源を印加する高圧発生部１３４と連結される炭素纎維ケーブル１４０で発生する電磁波の発生を最小化するために、雑音と電磁波を取り除くためのコンデンサ（Ｃａｐａｃｉｔｏｒ）とラインフィルター（Ｌｉｎｅ  ｆｉｌｔｅｒ）とが構成され、ブリッジ整流器（Ｂｒｉｄｇｅ  Ｒｅｃｔｉｆｉｅｒ）で整流してトランスと静電圧を維持させるためのフィードバック回路等を備えて、静電圧を維持していつも一定電圧を発生するように、ＡＣ１００  ５０／６０Ｈｚの入力電源からＤＣ１２Ｖ／２４Ｖ  ３００ｍＡ容量の電源が安定に発生するようにメーン基板１３０が構成される。
このようなメーン基板１３０では、ＡＣあるいはＤＣの高電圧を発生させる。
すなわち、メーン基板１３０から発生する高電圧を受ける炭素纎維ケーブル１４０と、集塵板１２２及び放電ピン１５０を備えた集塵部１２０とによって陰イオンが活性化する。
【００１３】
一方、図３は、この発明による空気清浄器の高圧を発生する高圧発生部の回路図である。
図３に示すように、陰イオンを発生させる高電圧回路の構成は、交流電源を受けて５０〜６０Ｈｚの発振周波数を数ｋＨｚの周波数に発振させる発振部１６２と、発振部１６２の高周波発振電圧を一次側で受け、二次側で高電圧に変換した後に整流して、放電のための直流高電圧を提供する高圧増幅部１６４とによって、高電圧を炭素纎維ケーブル１４０及び集塵部１２０に供給する
すなわち、入力端子Ｌ１、Ｌ２を通じて供給されたＡＣ１００／２２０Ｖの電源は、発振部１６２に入力される。この発振部１６２は、ダイオードＤ１、Ｄ２、ＳＣＲ（Ｑ１）、抵抗Ｒ１〜Ｒ５、及びキャパシタＣ１の回路から構成され、５０〜６０Ｈｚの発振周波数を数ｋＨｚの周波数に発振させて高圧トランスＴ１の一次巻線に印加する。
高圧増幅部１６４は、高圧トランスＴ１、高圧トランスＴ１の二次側巻線に連結された高圧ダイオードＤ３、高圧キャパシタＣ２、及び抵抗Ｒ６からなり、およそ５，５００Ｖ〜６，５００Ｖの高圧に倍電圧した後、Ｄ３によって−電荷を放電ピン１５０に印加し、集塵板１２２には０の電位を印加することにより、−５，５００Ｖの高電圧を印加する。
【００１４】
また、Ｒ６を通った−５，５００Ｖの高電圧は、炭素纎維ケーブル１４０と集塵部１２０に分岐される。この際、炭素纎維ケーブル１４０の場合は、本体１１８の前面ケース１０２に付着されて陰イオンが発生するもので、集塵効果は、集塵板１２２と放電ピン１５０からなった集塵部１２０での電位差によって発生する静電気によって、流入したほこり及び細菌等が集塵される。
また、空気清浄器１００の高電圧を発生する高圧発生部１３４から集塵部１２０と炭素纎維ケーブル１４０に高圧を伝達する二元化の構成によって、炭素纎維ケーブル１４０から発生する陰イオンの発生量を増加させることになる。
これにより、空気清浄器１００の高圧発生部１３４から高電圧が集塵部１２０に印加されて静電気を発生して、微細ほこり、においの微粒子を分解する。この分解された空気は、炭素纎維ケーブル１４０から発生する多量の陰イオンを含有して浄化される。この浄化された空気は、室内に供給される。
すなわち、空気清浄器１００は、送風機１１２の作動によって室内の空気が吸入口１１４を通じて内部に流入し、集塵部１２０を通過する過程で空気中の微粒子が分解される。このように浄化された空気は、炭素纎維ケーブル１４０から発生する多量の陰イオンを含有して吐出口１１６を通じて室内に再び供給される。
【００１５】
一方、集塵板１２２と放電ピン１５０を備えた集塵部１２０と炭素纎維ケーブル１４０とは、高圧発生部１３４に連結され、増幅された高電圧を放電させて陰イオンを放出する。
また、この実施例では、メーン基板１３０から供給される電圧をＡＣ１００Ｖ／２２０Ｖに例示しているが、その他にもＤＣ電圧に変更して使用することができ、電圧の大きさも通常に家庭または産業用電源として使用される範囲内で多様に変更して使用することができることは勿論である。
このように室内の空気は、陰イオンを発生する空気清浄器１００によって循環されながら浄化され、タイマによる一定時間の動作又は周期的な動作などに設定できる。
このような作用によって、汚染した空気のほこりや不純物の除去はもちろん、汚染物質と有害な細菌までも殺菌処理され、陰イオンを含んだ清い空気が室内へ循環して供給できるので、快適な室内環境を造成することができることになる。
【００１６】
この結果、この発明は、家庭及びホテル、インターネットカフェ、カラオケ、事務室、学校、病院、食堂等のような密閉した空間でタバコの煙及びにおい、細菌、微細ほこり等を取り除いて快適で新鮮な無菌の空気を提供するためのものであり、空気清浄器１００の高圧発生のための高圧発生部１３４と連結された放電ピン１５０に炭素繊維ケーブル１４０を位置させ、集塵部１２０とは二元化させて、２，０００，０００個以上の陰イオンを発生させることで、汚染した空気のほこり又は不純物の除去は勿論のこと、汚染物質と有害な細菌までも殺菌処理し、陰イオンを含んだ清い空気を室内へ循環供給させて、快適な室内環境を造成する効果があり、非常に有用な発明である。
【００１７】
以上、この発明を添付図面に基づいてその一例を説明したが、この発明はこれに限定されるものではなく、この発明による技術的要旨を逸脱しない範囲内で多様な変形または変更が可能であり、この発明の技術的範囲は、特許請求範囲によって解釈されなければならない。
【産業上の利用可能性】
【００１８】
この発明は、密閉した空間でタバコの煙及びにおい、細菌、微細ほこり等を取り除いて快適で新鮮な無菌の空気を提供する空気清浄機能を有する陰イオン発生器に適用可能である。
【図面の簡単な説明】
【００１９】
【図１】この発明による空気清浄器の分解斜視図である。
【図２】この発明による空気清浄器の内部に位置する炭素纎維ケーブルを示す斜視図である。
【図３】この発明による空気清浄器の高圧が発生する高圧発生部の回路図である。
【符号の説明】
【００２０】
１００    空気清浄器
１０２    前面ケース
１０４    後面ケース
１０６    制御部
１０８    壁面据置部
１１２    送風機
１１４    吸入口
１１６    吐出口
１１８    本体
１２０    集塵部
１２２    集塵板
１３０    メーン基板
１３２    電圧連結線
１３４    高圧発生部
１３６    ＳＭＰＳ部
１４０    炭素纎維ケーブル
１５０    放電ピン
１６２    発振部
１６４    高圧増幅部
【図１】
2008155174.tif 000003
【図２】
2008155174.tif 000004
【図３】
2008155174.tif 000005